(57)【要約】【課題】容器からの内容物の抽出量を調整しやすくするための技術を提供する。【解決手段】チューブ容器絞り出し器具１は、内容物が収容されたチューブ容器８を、その裾部８１を基端部側に向けた状態で両側から挟み込んで押圧するための第１の板部１１及び第２の板部１２を備える。第１の板部１１及び第２の板部１２は、それぞれの基端部においてヒンジ部１３を介して連結され、ヒンジ部１３を回転軸として開度を変更可能である。第１の板部１１は、回転軸と平行な線に沿って折り曲げるための３つの折曲部により、４つの部分板部１１１，１１２，１１３，１１４に区分されており、同様に、第２の板部１２も、３つの折曲部により４つの部分板部１２１，１２２，１２３，１２４に区分されている。【選択図】図８
2014058344.tif 000002
【特許請求の範囲】
【請求項１】
内容物が収容された容器を両側から挟み込んで押圧するための一対の板部を備え、
前記一対の板部は、それぞれの基端部において連結され、連結部を回転軸として開度を変更可能であり、
前記一対の板部のうち少なくとも一方は、当該板部を前記回転軸と平行な線に沿って折り曲げるための１つ以上の折曲部を有し、前記折曲部により複数の部分板部に区分されている
ことを特徴とする容器絞り出し器具。
【請求項２】
請求項１に記載の容器絞り出し器具であって、
前記容器は、チューブ容器であり、
前記一対の板部は、前記チューブ容器を、その裾部を基端部側に向けた状態で両側から挟み込んで押圧する
ことを特徴とする容器絞り出し器具。
【請求項３】
請求項２に記載の容器絞り出し器具であって、
前記一対の板部は、第１の板部と、基端部から先端部までの長さが前記第１の板部よりも短い第２の板部と、を備える
ことを特徴とする容器絞り出し器具。
【請求項４】
請求項３に記載の容器絞り出し器具であって、
前記第１の板部及び前記第２の板部は、前記チューブ容器を両側から挟み込んで押しつぶすことにより、前記チューブ容器の肩部を前記第２の板部側へ押し倒す長さである
ことを特徴とする容器絞り出し器具。
【請求項５】
請求項３又は請求項４に記載の容器絞り出し器具であって、
前記第２の板部は、先端方向へ突出した形状の突出部を先端部に有する
ことを特徴とする容器絞り出し器具。
【請求項６】
請求項３から請求項５までのいずれか１項に記載の容器絞り出し器具であって、
前記第１の板部は、基端部から先端部へ向かって幅が狭くなる形状である
ことを特徴とする容器絞り出し器具。
【請求項７】
請求項３から請求項６までのいずれか１項に記載の容器絞り出し器具であって、
前記第１の板部は、先端方向へ突出した形状の突出部を先端部に有し、
前記第１の板部の前記突出部は、前記チューブ容器を押しつぶした状態で、前記チューブ容器の外側へはみ出さない形状である
ことを特徴とする容器絞り出し器具。
【請求項８】
請求項７に記載の容器絞り出し器具であって、
前記第１の板部の前記突出部は、当該突出部を撓みやすくするための低強度部を有する
ことを特徴とする容器絞り出し器具。
【請求項９】
請求項１から請求項７までのいずれか１項に記載の容器絞り出し器具であって、
前記一対の板部のうち少なくとも一方は、当該板部を撓みやすくするための低強度部を有する
ことを特徴とする容器絞り出し器具。
【請求項１０】
請求項８又は請求項９に記載の容器絞り出し器具であって、
前記一対の板部のうち少なくとも一方は、前記低強度部として、厚みを薄くした部分を有する
ことを特徴とする容器絞り出し器具。
【請求項１１】
請求項８から請求項１０までのいずれか１項に記載の容器絞り出し器具であって、
前記一対の板部のうち少なくとも一方は、前記低強度部として、貫通した部分を有する
ことを特徴とする容器絞り出し器具。
【請求項１２】
請求項１から請求項１１までのいずれか１項に記載の容器絞り出し器具であって、
前記一対の板部のうち少なくとも一方は、先端部側の厚みが基端部側の厚みよりも厚い形状である
ことを特徴とする容器絞り出し器具。
【請求項１３】
請求項１から請求項１２までのいずれか１項に記載の容器絞り出し器具であって、
前記折曲部は、互いに隣り合う２つの前記部分板部を連結する連結橋部を有し、
前記連結橋部は、押圧により破断又は延伸可能である
ことを特徴とする容器絞り出し器具。
【請求項１４】
請求項１から請求項１３までのいずれか１項に記載の容器絞り出し器具であって、
前記一対の板部のうち少なくとも一方は、前記容器を前記一対の板部に挟み込まれた状態で固定する固定手段を更に備える
ことを特徴とする容器絞り出し器具。
【請求項１５】
請求項１から請求項１４までのいずれか１項に記載の容器絞り出し器具と、
チューブ容器と、
を備えるチューブ容器絞り出しセットであって、
前記チューブ容器の胴部は、他の部分と比較して変形しやすい脆弱部を有する
ことを特徴とするチューブ容器絞り出しセット。
【請求項１６】
請求項１５に記載のチューブ容器絞り出しセットであって、
前記容器絞り出し器具は、前記一対の板部として、第１の板部と、基端部から先端部までの長さが前記第１の板部よりも短い第２の板部と、を備え、
前記脆弱部は、前記チューブ容器の胴部における、前記第２の板部の先端部に対応する位置に設けられる
ことを特徴とするチューブ容器絞り出しセット。
【請求項１７】
請求項１５又は請求項１６に記載のチューブ容器絞り出しセットであって、
前記チューブ容器の胴部は、前記脆弱部として、くびれた部分を有する
ことを特徴とするチューブ容器絞り出しセット。
【請求項１８】
請求項１５から請求項１７までのいずれか１項に記載のチューブ容器絞り出しセットであって、
前記チューブ容器の胴部は、前記脆弱部として、厚みの薄い部分を有する
ことを特徴とするチューブ容器絞り出しセット。
【発明の詳細な説明】
【技術分野】
【０００１】
本発明は、容器から内容物を絞り出すための器具に関する。
【背景技術】
【０００２】
従来、例えばチューブ容器のように、外部から押圧されることにより内容物を吐出する容器が知られている。この種の容器から内容物を抽出する方法としては、容器を直接指で押圧する方法が一般的であるが、このような方法では押圧力が容器に対して局所的に加わるため、内容物をきれいに絞り出しにくい場合がある。こうした背景から、チューブ容器を押圧する器具を用いて内容物を抽出する方法が提案されている。例えば特許文献１には、二つ折りにした板でチューブ容器を挟み込んで押圧する構成の器具が開示されている。
【先行技術文献】
【特許文献】
【０００３】
【特許文献１】実開昭４７−３７３４０号公報
【発明の概要】
【発明が解決しようとする課題】
【０００４】
ところで、こうした容器から内容物を複数回に分けて抽出する場合には、１回の抽出量を適切な量に調整して段階的に抽出することが求められる。この点、二つ折りにした板でチューブ容器を挟み込んで押圧する従来の構成では、チューブ容器からの内容物の抽出に伴い、二つ折りにした板の間の角度が徐々に小さくなり、その角度の微妙な違いにより抽出量が異なり得る。このため、１回の抽出量を適切な量に調整することが困難であった。
【０００５】
本発明は、こうした問題にかんがみてなされたものであり、容器からの内容物の抽出量を調整しやすくするための技術を提供することを目的としている。
【課題を解決するための手段】
【０００６】
本発明の容器絞り出し器具は、内容物が収容された容器を両側から挟み込んで押圧するための一対の板部を備える。一対の板部は、それぞれの基端部において連結され、連結部を回転軸として開度を変更可能である。一対の板部のうち少なくとも一方は、当該板部を回転軸と平行な線に沿って折り曲げるための１つ以上の折曲部を有し、折曲部により複数の部分板部に区分されている。
【０００７】
このような構成によれば、一対の板部で容器を両側から挟み込んで押圧する際に、部分板部単位で容器を押圧することができる。このため、折曲部を有しない板部で容器を押圧する場合と比較して、抽出量を段階的に調整しやすくすることができる。
【０００８】
また、上記構成において、容器は、チューブ容器であってもよく、一対の板部は、チューブ容器を、その裾部を基端部側に向けた状態で両側から挟み込んで押圧してもよい。このような構成によれば、チューブ容器の胴部を裾部側から部分板部単位で順次押圧することで、抽出量を段階的に調整することができる。
【０００９】
また、上記構成において、一対の板部は、第１の板部と、基端部から先端部までの長さが第１の板部よりも短い第２の板部と、を備えていてもよい。このような構成によれば、チューブ容器を効率よく押圧することができる。
【００１０】
また、上記構成において、第１の板部及び第２の板部は、チューブ容器を両側から挟み込んで押しつぶすことにより、チューブ容器の肩部を第２の板部側へ押し倒す長さであってもよい。このような構成によれば、チューブ容器の肩部を押し倒さずに押圧する場合と比較して、チューブ容器に残存する内容物の量を少なくすることができる。
【００１１】
また、上記構成において、第２の板部は、先端方向へ突出した形状の突出部を先端部に有してもよい。このような構成によれば、チューブ容器の肩部近傍に残存する内容物を絞り出しやすくすることができる。
【００１２】
また、上記構成において、第１の板部は、基端部から先端部へ向かって幅が狭くなる形状であってもよい。このような構成によれば、第１の板部における基端部側においてチューブ容器が保持されやすくしつつ、先端部側においてチューブ容器を押圧しやすくすることができる。
【００１３】
また、上記構成において、第１の板部は、先端方向へ突出した形状の突出部を先端部に有し、第１の板部の突出部は、チューブ容器を押しつぶした状態で、チューブ容器の外側へはみ出さない形状であってもよい。このような構成によれば、チューブ容器の外側へはみ出すような形状と比較して、チューブ容器における幅方向中央部を押圧しやすくすることができる。
【００１４】
また、上記構成において、第１の板部の突出部は、当該突出部を撓みやすくするための低強度部を有してもよい。このような構成によれば、第１の板部の突出部が、押圧されることによりチューブ容器の表面に沿うように撓んで接触しやすくなる。このため、チューブ容器の内容物を抽出しやすくすることができる。
【００１５】
また、上記構成において、一対の板部のうち少なくとも一方は、当該板部を撓みやすくするための低強度部を有してもよい。このような構成によれば、少なくとも一方の板部が、押圧されることによりチューブ容器の表面に沿うように撓んで接触しやすくなる。このため、チューブ容器の内容物を抽出しやすくすることができる。
【００１６】
また、上記構成において、一対の板部のうち少なくとも一方は、低強度部として、厚みを薄くした部分を有してもよい。このような構成によれば、厚みを薄くした部分を板部に設けるという簡素な構成により、板部を撓みやすくすることができる。
【００１７】
また、上記構成において、一対の板部のうち少なくとも一方は、低強度部として、貫通した部分を有してもよい。このような構成によれば、貫通した部分を板部に設けるという簡素な構成により、板部を撓みやすくすることができる。
【００１８】
また、上記構成において、一対の板部のうち少なくとも一方は、先端部側の厚みが基端部側の厚みよりも厚い形状であってもよい。このような構成によれば、板部の先端部側において容器を押圧しやすくすることができる。
【００１９】
また、上記構成において、折曲部は、互いに隣り合う２つの部分板部を連結する連結橋部を有し、連結橋部は、押圧により破断又は延伸可能であってもよい。このような構成によれば、連結橋部を破断又は延伸する前の状態では、連結橋部を有しない構成と比較して、貫通溝を広がりにくくして、部分板部の連結状態を安定させることができる。しかも、連結橋部を押圧して破断又は延伸することで、部分板部を独立して操作しやすくすることができる。
【００２０】
また、上記構成において、一対の板部のうち少なくとも一方は、容器を一対の板部に挟み込まれた状態で固定する固定手段を更に備えてもよい。このような構成によれば、容器を固定せずに押圧する構成と比較して、押圧操作を行いやすくすることができる。
【００２１】
また、本発明のチューブ容器絞り出しセットは、上記構成の容器絞り出し器具と、チューブ容器と、を備える。そして、チューブ容器の胴部は、他の部分と比較して変形しやすい脆弱部を有する。このような構成によれば、一対の板部による押圧により、チューブ容器の内容物を絞り出しやすくすることができる。
【００２２】
また、上記構成において、容器絞り出し器具は、一対の板部として、第１の板部と、基端部から先端部までの長さが第１の板部よりも短い第２の板部と、を備え、脆弱部は、チューブ容器の胴部における、第２の板部の先端部に対応する位置に設けられてもよい。このような構成によれば、チューブ容器の胴部が脆弱部を有しない場合と比較して、チューブ容器を第２の板部側へ押し倒しやすくすることができる。
【００２３】
また、上記構成において、チューブ容器の胴部は、脆弱部として、くびれた部分を有してもよい。このような構成によれば、くびれた部分を胴部に設けるという簡素な構成により、胴部を変形しやすくすることができる。
【００２４】
また、上記構成において、チューブ容器の胴部は、脆弱部として、厚みの薄い部分を有してもよい。このような構成によれば、厚みの薄い部分を胴部に設けるという簡素な構成により、胴部を変形しやすくすることができる。
【図面の簡単な説明】
【００２５】
【図１】第１実施形態のチューブ容器絞り出し器具の使用状態を示す図である。
【図２】第１実施形態のチューブ容器絞り出し器具の平面図である。
【図３】第１実施形態のチューブ容器絞り出し器具の側面図である。
【図４】図２のIV−IV断面図である。
【図５】第１の抽出段階でのチューブ容器及びチューブ容器絞り出し器具の側面図（一部断面図）である。
【図６】第２の抽出段階でのチューブ容器及びチューブ容器絞り出し器具の側面図（一部断面図）である。
【図７】第３の抽出段階でのチューブ容器及びチューブ容器絞り出し器具の側面図（一部断面図）である。
【図８】第４の抽出段階でのチューブ容器及びチューブ容器絞り出し器具の側面図（一部断面図）である。
【図９】第２実施形態のチューブ容器絞り出し器具の平面図である。
【図１０】第３実施形態のチューブ容器絞り出し器具の平面図である。
【図１１】第３実施形態のチューブ容器絞り出し器具にチューブ容器を取り付けた状態を示す側面図である。
【図１２】第３実施形態の変形例としてのチューブ容器絞り出し器具の平面図である。
【図１３】第３実施形態の変形例としてのチューブ容器絞り出し器具にチューブ容器を取り付けた状態を示す側面図である。
【図１４】第４実施形態のチューブ容器絞り出し器具の平面図である。
【図１５】第４実施形態のチューブ容器絞り出し器具の斜視図である。
【図１６】変形例としての略台形状の突出部の平面図である。
【図１７】変形例としての半円状の突出部の平面図である。
【図１８】変形例のチューブ容器絞り出し器具の側面視の断面図である。
【図１９】変形例としての連結橋部の側面視の断面図である。
【図２０】変形例としての表示態様を示す図である。
【図２１】変形例としてのくびれ部を設けたチューブ容器の側面図（一部断面図）である。
【図２２】変形例としての薄肉部を設けたチューブ容器の側面図（一部断面図）である。
【発明を実施するための形態】
【００２６】
以下、本発明が適用された実施形態について、図面を用いて説明する。
［第１実施形態］
図１に示すように、第１実施形態のチューブ容器絞り出し器具１は、２本のチューブ容器８，９を外部から同時に押圧して内容物を抽出する（絞り出す）ために用いられるものである。なお、チューブ容器絞り出し器具１は、染毛剤を収容する２本のチューブ容器８，９の付属品として、チューブ容器８，９とセットで流通されるようにしてもよい。
【００２７】
各チューブ容器８，９は、同一形状であるが、内容物が異なる。本実施形態では、第１のチューブ容器８に染毛剤の第１剤（酸化染料及びアルカリ剤）が収容されており、第２のチューブ容器９に染毛剤の第２剤（過酸化水素を主成分とする酸化剤）が収容されている。
【００２８】
具体的には、図２や図３などに示すように、各チューブ容器８，９は、周知の構成のものであり、裾部８１，９１と、胴部８２，９２と、肩部８３，９３と、口部８４，９４と、を備える。裾部８１，９１は、円筒状の胴部８２，９２の一端を板状につぶして折り曲げた形状の部分である。肩部８３，９３は、胴部８２，９２における裾部８１，９１側とは反対側の端部から連続する円錐台状の部分であり、胴部８２，９２の断面形状を円形に維持する。口部８４，９４は、肩部８３，９３の中央から突出した吐出口である。
【００２９】
このような構成により、各チューブ容器８，９は、胴部８２，９２が外部から押圧されると、口部８４，９４から内容物を吐出する。なお、チューブ容器８，９は、金属（例えばアルミ）製のものであり、形状が復元する合成樹脂製のものとは異なり、押圧後（内容物を吐出した後）の形状がそのまま維持される。
【００３０】
一方、チューブ容器絞り出し器具１は、一対の板部（第１の板部１１及び第２の板部１２）と、ヒンジ部１３と、を備える。第１の板部１１及び第２の板部１２は、チューブ容器８，９を両側から挟み込んで押圧するための板状の部分である。第１の板部１１と第２の板部１２とは、それぞれの基端部においてヒンジ部１３を介して連結され、その連結部（ヒンジ部１３）を回転軸として開度（相対角度）を変更可能に（Ｖ字状に折り曲げ可能に）構成されている。なお、本実施形態では、１枚の板材（本実施形態ではポリプロピレン等の合成樹脂の薄板）が折り曲げられることにより、第１の板部１１、第２の板部１２及びヒンジ部１３が形成されている。
【００３１】
第１の板部１１の厚みは、厚いほど強度が向上するものの柔軟性が低下し、逆に、薄いほど柔軟性が向上するものの強度が低下し、板が反ってしまうおそれがある。このため、第１の板部１１は、２本のチューブ容器８，９を押圧するのに適し、かつ、必要な強度が得られる程度の厚みに設計されている。具体的には、第１の板部１１の厚みは、０．５〜５ｍｍが適し、好ましくは１〜１．５ｍｍが適する。
【００３２】
特に、本実施形態では、第１の板部１１の厚みが、基端部（ヒンジ部１３側の端部）から先端部（基端部とは反対側の端部）へ向かって徐々に厚くなるように設計されている。本実施形態では、図３に示すように、基端部から先端部へ向かって一定の割合で厚みが増すように、一定の角度θのテーパーが形成されている。角度θは、１〜５度が適し、好ましくは１〜２度が適する。
【００３３】
また、図２に示すように、第１の板部１１の横幅（ヒンジ部１３の回転軸方向に沿った幅）は、２本のチューブ容器８，９を、横方向（ヒンジ部１３の回転軸方向に沿った方向）に並べた状態で収めることができる幅に設計されている。また、第１の板部１１の横幅は、基端部から先端部へ向かって徐々に狭くなるように設計されている。
【００３４】
第１の板部１１の先端部は、中央の切欠部により、左右対称形状の２つの山形（先端方向へ突出した形状）の突出部１１７，１１８に区分されている。各突出部１１７，１１８の先端は、中央部がヒンジ部１３の回転軸と平行な直線状に形成されており、その両端部が基端部側へ斜めに延びる円弧状に形成されている。
【００３５】
各突出部１１７，１１８の横幅は、チューブ容器８，９の胴部８２，９２の円周長さの半分の長さ（換言すれば、裾部８１，９１の幅）以下に設計されている。また、第１の板部１１の長さ（先端部から基端部までの長さ）は、チューブ容器８，９の胴部８２，９２の長さ（裾部８１，９１から肩部８３，９３までの長さ）以下に設計されている。つまり、第１の板部１１及び第２の板部１２によりチューブ容器８，９を最後まで押しつぶした状態において、各突出部１１７，１１８が、それぞれに対応するチューブ容器８，９の外側へはみ出さないように、第１の板部１１の長さ及び突出部１１７，１１８の横幅が設計されている。
【００３６】
また、第１の板部１１は、基端部からの距離が段階的に異なる複数箇所（本実施形態では３箇所）において、第１の板部１１をヒンジ部１３の回転軸と平行な線に沿って容易に折り曲げられるようにするための折曲部を有し、４つの部分板部１１１，１１２，１１３，１１４に区分されている。
【００３７】
具体的には、各折曲部は、ヒンジ部１３の回転軸方向に延びる貫通溝１１５と、第１の板部１１の横幅方向（ヒンジ部１３の回転軸方向）中央位置において貫通溝１１５を左右に分断する連結橋部１１６と、を備える。つまり、貫通溝１１５を挟んで互いに隣り合う２つの部分板部が、連結橋部１１６により連結されている。
【００３８】
なお、貫通溝１１５の溝幅（第１の板部１１の長手方向に沿った寸法）は、０．５〜３ｍｍが適し、好ましくは１ｍｍが適する。また、第１の板部１１の左右端部から貫通溝１１５までの長さ（左右端部における貫通溝１１５が形成されていない部分の幅）は、０．５〜３０ｍｍが適する。また、連結橋部１１６の横幅（ヒンジ部１３の回転軸方向に沿った寸法）は、０．５〜３ｍｍが適し、好ましくは１ｍｍが適する。
【００３９】
第１の板部１１には、折曲部に加え、基端部からの距離が段階的に異なる複数箇所に、第１の板部１１を撓みやすくするための低強度部が設けられている。本実施形態では、折曲部を含めた配置が基端部から先端部へ向かって等間隔となる複数箇所に、ヒンジ部１３の回転軸方向に延びる未貫通溝１１９が、低強度部として形成されている。具体的には、部分板部１１１，１１２，１１３のそれぞれに、未貫通溝１１９が２箇所ずつ形成されている。また、部分板部１１４には、突出部１１７，１１８を除く部分に未貫通溝１１９が２箇所形成され、各突出部１１７，１１８に未貫通溝１１９が２箇所ずつ形成されている。図４に示すように、これらの未貫通溝１１９は、第１の板部１１における外面（チューブ容器８，９と接触する側の面とは反対側の面）に形成されている。
【００４０】
一方、第２の板部１２は、第１の板部１１よりも長さが短く設計されている。第１の板部１１と第２の板部１２との長さを異ならせているのは、チューブ容器８，９の先端部を、一方（本実施形態では第２の板部１２側）へ折り曲げるためである（図８参照）。このため、第２の板部１２の長さは、チューブ容器８，９の先端部が折り曲げられる程度に短く、チューブ容器８，９に残存する内容物の量を少なくすることができる程度に長く、設計されている。なお、第１の板部１１と第２の板部１２との長さの差は、３〜２０ｍｍが適し、好ましくは５〜１０ｍｍが適する。
【００４１】
第２の板部１２の厚みは、第１の板部１１と同様に設計されている。また、第２の板部１２の横幅は、第１の板部１１と同様、２本のチューブ容器８，９を、横方向に並べた状態で収めることができる幅に設計されている。具体的には、第２の板部１２は、基端部における横幅が第１の板部１１と同じであり、先端部における横幅が第１の板部１１よりも広く設計されている。
【００４２】
第２の板部１２の先端部には、先端方向へ突出した左右対称形状の２つの突出部１２７，１２８が形成されている。各突出部１２７，１２８は、ヒンジ部１３の回転軸と平行な直線状の上辺１２７１，１２８１と、各上辺１２７１，１２８１の両端部から基端部側へ斜めに延びる斜辺１２７２，１２７３，１２８２，１２８３と、を有する。
【００４３】
また、第２の板部１２は、第１の板部１１と同様、基端部からの距離が段階的に異なる複数箇所（本実施形態では３箇所）において、第２の板部１２をヒンジ部１３の回転軸と平行な線に沿って容易に折り曲げられるようにするための折曲部を有し、４つの部分板部１２１，１２２，１２３，１２４に区分されている。なお、第２の板部１２における折曲部の位置（基端部からの距離）は、第１の板部１１における折曲部の位置と同じである。つまり、第１の板部１１及び第２の板部１２をヒンジ部１３で折り畳んだ状態で、折曲部の位置が一致する。
【００４４】
具体的には、各折曲部は、第１の板部１１と同様、ヒンジ部１３の回転軸方向に延びる貫通溝１２５と、第２の板部１２の横幅方向（ヒンジ部１３の回転軸方向）中央位置において貫通溝１２５を左右に分断する連結橋部１２６と、を備える。つまり、貫通溝１２５を挟んで互いに隣り合う２つの部分板部が、連結橋部１２６により連結されている。
【００４５】
次に、チューブ容器絞り出し器具１の使用方法について説明する。まず、チューブ容器８，９を、その裾部８１，９１が第１の板部１１及び第２の板部１２の基端部側（ヒンジ部１３側）を向くように、第１の板部１１及び第２の板部１２により両側から挟み込む。
【００４６】
そして、図５に示す第１の抽出段階では、第１の板部１１における最も基端部寄りの部分板部１１１と、第２の板部１２における最も基端部寄りの部分板部１２１と、により、チューブ容器８，９の胴部８２，９２における最も裾部８１，９１寄りの部分を、両側から挟み込んで押圧する。なお、以下の説明では、第１の板部１１に含まれる４つの部分板部１１１，１１２，１１３，１１４を、基端部側から順に第１の部分板部１１１、第２の部分板部１１２、第３の部分板部１１３、第４の部分板部１１４という。同様に、第２の板部１２に含まれる４つの部分板部１２１，１２２，１２３，１２４を、基端部側から順に第１の部分板部１２１、第２の部分板部１２２、第３の部分板部１２３、第４の部分板部１２４という。
【００４７】
ここで、仮に、第１の板部１１及び第２の板部１２が折曲部を有しない構成である場合、第１の板部１１と第２の板部１２との間の角度（開度）は、基端部側から先端部側まで一定となる。この場合、チューブ容器８，９の胴部８２，９２が、長手方向に沿って均等に押圧され、第１の板部１１と第２の板部１２との間の角度は、チューブ容器８，９からの内容物の抽出に伴い徐々に小さくなる。
【００４８】
これに対し、本実施形態のチューブ容器絞り出し器具１では、第１の板部１１において、第２の部分板部１１２を、第１の部分板部１１１に対して外側に折り曲げることができる。同様に、第２の板部１２において、第２の部分板部１２２を、第１の部分板部１２１に対して外側に折り曲げることができる。つまり、第１の部分板部１１１，１２１の間の角度（以下「第１の部分角度」という。）よりも、第２の部分板部１１２，１２２の間の角度（以下「第２の部分角度」という。）を大きくすることができる。
【００４９】
したがって、本実施形態のチューブ容器絞り出し器具１によれば、チューブ容器８，９の胴部８２，９２における最も裾部８１，９１寄りの部分を、第１の部分板部１１１，１２１により部分的に押圧することができる。その結果、第１の部分角度が０度に近くなるまで胴部８２，９２を押しつぶすことにより、チューブ容器８，９に収容された内容物の一部（例えば４分の１程度）である一定量を抽出することができる。なお、チューブ容器８，９から抽出された内容物（染毛剤の第１剤及び第２剤）は、トレイなどで混合された後、毛髪に塗布される。
【００５０】
続いて、図６に示す第２の抽出段階では、第２の部分板部１１２，１２２により、チューブ容器８，９の胴部８２，９２における中央部の裾部８１，９１寄りの部分を、両側から挟み込んで押圧する。この場合にも、前述した第１の抽出段階と同様、第２の部分角度よりも、第３の部分板部１１３，１２３の間の角度（以下「第３の部分角度」という。）を大きくすることができる。したがって、チューブ容器８，９の胴部８２，９２における中央部の裾部８１，９１寄りの部分を、第２の部分板部１１２，１２２により部分的に押圧することができる。その結果、第２の部分角度が０度に近くなるまで胴部８２，９２を押しつぶすことで、チューブ容器８，９から一定量の内容物を抽出することができる。
【００５１】
続いて、図７に示す第３の抽出段階では、第３の部分板部１１３，１２３により、チューブ容器８，９の胴部８２，９２における中央部の肩部８３，９３寄りの部分を、両側から挟み込んで押圧する。この場合にも、前述した第１及び第２の抽出段階と同様、第３の部分角度よりも、第４の部分板部１１４，１２４の間の角度（以下「第４の部分角度」という。）を大きくすることができる。したがって、チューブ容器８，９の胴部８２，９２における中央部の肩部８３，９３寄りの部分を、第３の部分板部１１３，１２３により部分的に押圧することができる。その結果、第３の部分角度が０度に近くなるまで胴部８２，９２を押しつぶすことで、チューブ容器８，９から一定量の内容物を抽出することができる。
【００５２】
最後に、図８に示す第４の抽出段階では、第４の部分板部１１４，１２４により、チューブ容器８，９の胴部８２，９２における最も肩部８３，９３寄りの部分を、両側から挟み込んで押圧する。そして、第４の部分角度が０度に近くなるまで胴部８２，９２を押しつぶすことで、チューブ容器８，９から一定量の内容物を抽出することができる。
【００５３】
以上のように、チューブ容器８，９の胴部８２，９２を、第１の抽出段階から第４の抽出段階までの４段階に分けて、部分板部単位で裾部８１，９１から順次独立して押圧することで、２つのチューブ容器８，９から内容物を一定量ずつ段階的に抽出することができる。
【００５４】
特に、第４の抽出段階では、第１の板部１１と第２の板部１２との長さの違いにより、チューブ容器８，９の肩部８３，９３が、第２の板部１２側へ押し倒される。具体的には、チューブ容器８，９の胴部８２，９２は、第２の板部１２の先端部に形成された突出部１２７，１２８における斜辺１２７２，１２７３，１２８２，１２８３と当接する位置（第１の支点）と、上辺１２７１，１２８１と当接する位置（第２の支点）と、で折り曲げられる。
【００５５】
以上説明したように、第１実施形態のチューブ容器絞り出し器具１によれば、第１の板部１１及び第２の板部１２でチューブ容器８，９を両側から挟み込んで押圧する際に、チューブ容器８，９の胴部を裾部８１，９１側から部分板部単位で順次押圧することができる。このため、折曲部を有しない板部でチューブ容器８，９を押圧する場合と比較して、抽出量を段階的に調整しやすくすることができる。
【００５６】
また、第１の板部１１及び第２の板部１２は、第２の板部１２の長さが第１の板部１１の長さよりも短く、チューブ容器８，９を両側から挟み込んで押しつぶすことにより、その肩部８３，９３を第２の板部１２側へ押し倒す長さに設計されている。このため、チューブ容器８，９の肩部８３，９３を押し倒さずに押圧する場合と比較して、チューブ容器８，９に残存する内容物の量を少なくすることができる。
【００５７】
また、第２の板部１２は、先端方向へ突出した形状の２つの突出部１２７，１２８を先端部に有するため、チューブ容器８，９の肩部８３，９３近傍に残存する内容物を絞り出しやすくすることができる。
【００５８】
また、第１の板部１１は、基端部から先端部へ向かって幅が狭くなる形状であるため、第１の板部１１における基端部側においてチューブ容器８，９が保持されやすくしつつ、先端部側においてチューブ容器８，９を押圧しやすくすることができる。
【００５９】
また、第１の板部１１は、先端方向へ突出した形状の２つの突出部１１７，１１８を先端部に有し、チューブ容器８，９を押しつぶした状態で、各突出部１１７，１１８が、それぞれに対応するチューブ容器８，９の外側へはみ出さない形状に設計されている。このため、チューブ容器８，９の外側へはみ出すような形状と比較して、チューブ容器８，９における横幅方向中央部を押圧しやすくすることができる。すなわち、チューブ容器８，９を押しつぶした状態では、その外縁部分が完全には折り曲げられずに膨らんだ状態となる。このため、第１の板部１１の先端部がチューブ容器８，９の外側へはみ出すような形状の場合、押しつぶされた状態のチューブ容器８，９の外縁部の厚みにより、外縁部に囲まれた部分（内側部分）を押圧しにくくなる。この点、本実施形態では、チューブ容器８，９の外縁部に囲まれた部分を押圧しやすいため、肩部８３，９３近傍に残存する内容物を効率よく絞り出すことができる。
【００６０】
また、第１の板部１１には、低強度部が設けられており、押圧されることによりチューブ容器８，９の表面に沿うように撓んで接触しやすいため、チューブ容器８，９の内容物を抽出しやすくすることができる。特に、突出部１１７，１１８にも低強度部が設けられているため、チューブ容器８，９の肩部８３，９３近傍に残存する内容物を絞り出しやすくすることができる。
【００６１】
また、第１の板部１１は、未貫通溝１１９を低強度部としているため、簡素な構成により第１の板部１１を撓みやすくすることができる。しかも、未貫通溝１１９が、第１の板部１１における外面に形成されているため、低強度部を、指で押圧する際の滑り止めとしても機能させることができる。加えて、第１の板部１１における内面（チューブ容器８，９に接する面）が平滑となるため、チューブ容器８，９に残存する内容物の量を少なくすることができる。
【００６２】
また、第１の板部１１及び第２の板部１２は、基端部から先端部へ向かって厚みが徐々に厚くなるように設計されているため、チューブ容器８，９の先端部側を押圧しやすくすることができる。すなわち、チューブ容器８，９の胴部８２，９２は、裾部８１，９１に近いほど断面がつぶれた形状となるためつぶしやすく、肩部８３，９３に近いほど断面が円に近くなるためつぶしにくくなる。本実施形態では、第１の板部１１及び第２の板部１２の厚みが先端部（チューブ容器８，９の肩部８３，９３）に近いほど厚くなるため、押圧操作を行いやすくすることができる。
【００６３】
また、各折曲部において、貫通溝１１５，１２５が、連結橋部１１６，１２６により分断されている。したがって、連結橋部１１６，１２６を有しない構成と比較して、貫通溝１１５，１２５の溝幅の広がり（部分板部の撓み）が抑制され、部分板部の連結状態を安定させることができる。
【００６４】
また、第４の抽出段階において、チューブ容器８，９の胴部８２，９２は、第２の板部１２の先端部に形成された突出部１２７，１２８における斜辺１２７２，１２７３，１２８２，１２８３と当接する位置（第１の支点）と、上辺１２７１，１２８１と当接する位置（第２の支点）と、で折り曲げられる。つまり、チューブ容器８，９の胴部８２，９２が、２つの支点で折り曲げられる。このため、１つの支点で折り曲げる場合（例えば、第２の板部１２の先端が、突出を有しないストレートな形状の場合）と比較して、チューブ容器８，９を折り曲げやすくしつつ、チューブ容器８，９の肩部８３，９３近傍に残存する内容物を少なくすることができる。
【００６５】
すなわち、胴部８２，９２を折り曲げる位置が肩部８３，９３に近いほど、肩部８３，９３を大きく変形させる必要があるため、折り曲げに要する力が大きくなる。一方、胴部８２，９２を折り曲げる位置が肩部８３，９３から離れているほど、肩部８３，９３近傍に内容物が残存しやすくなる。そこで、本実施形態のチューブ容器絞り出し器具１では、肩部８３，９３から比較的遠い位置の第１の支点で胴部８２，９２を折り曲げつつ、肩部８３，９３に比較的近い位置の第２の支点で更に胴部８２，９２を折り曲げるようにしている。このようにすることで、折り曲げに要する力を小さくしつつ、肩部８３，９３近傍の内容物を抽出しやすくすることができる。
【００６６】
また、２本のチューブ容器８，９を同時に押圧することができるため、１本ずつ押圧する場合と比較して、抽出に要する手間を少なくすることができる。特に、染毛剤の第１剤及び第２剤をトレイなどに抽出する作業を容易に行うことができる。
【００６７】
［第２実施形態］
図９に示すように、第２実施形態のチューブ容器絞り出し器具２は、第１実施形態のチューブ容器絞り出し器具１（図２等参照）と基本的な構成は同じであり、２本のチューブ容器８，９を固定するための固定手段が、一方の板部（本実施形態では第１の板部１１）に設けられている点で相違する。このため、第１実施形態と共通する構成については、同一の符号を用いるとともに説明を省略する。
【００６８】
チューブ容器絞り出し器具２の第１の板部１１には、チューブ容器８，９を第１の板部１１及び第２の板部１２の間に挟み込まれた状態で固定するための固定手段として、ストッパ部２４１と、ガイド部２４２と、粘着部２４３と、が設けられている。
【００６９】
ストッパ部２４１は、第１の板部１１及び第２の板部１２によりチューブ容器８，９を挟み込んだ状態において、チューブ容器８，９のヒンジ部１３への移動を制限するためのものである。具体的には、ストッパ部２４１は、第１の板部１１の内面における基端部で厚さ方向に突出した形状のものであり、チューブ容器８，９の裾部８１，９１と当接する段差を形成している。
【００７０】
ガイド部２４２は、第１の板部１１及び第２の板部１２によりチューブ容器８，９を挟み込んだ状態において、チューブ容器８，９の横方向への移動を制限するためのものである。具体的には、ガイド部２４２は、円筒の側壁の一部を切り取った形状の板部（断面円弧状の曲板部）であり、２つのガイド部２４２が第１の板部１１の内面に設けられている。各ガイド部２４２は、その内周面が、チューブ容器８，９の胴部８２，９２の外周面にそれぞれ当接する向きで設けられている。
【００７１】
粘着部２４３は、第１の板部１１の内面にチューブ容器８，９の胴部８２，９２を接着するための粘着層であり、例えば両面テープが用いられる。この例では、第１の板部１１の内面における部分板部１１２に両面テープを設けているが、例えばガイド部２４２の内周面に設けてもよい。
【００７２】
このような固定手段を用いてチューブ容器８，９を固定するには、まず、両面テープの保護テープをはがして粘着部２４３の粘着層を露出させる。そして、チューブ容器８，９の裾部８１，９１をストッパ部２４１の段差に当接させつつ、胴部８２，９２をガイド部２４２に当接させる。これにより、チューブ容器８，９が、ストッパ部２４１及びガイド部２４２に位置決めされた状態で、粘着部２４３により第１の板部１１に接着される。その結果、チューブ容器８，９は、第１の板部１１に固定された状態で、第１の板部１１及び第２の板部１２の間に挟み込まれる。
【００７３】
以上説明したように、第２実施形態のチューブ容器絞り出し器具２によれば、第１実施形態のチューブ容器絞り出し器具１と同様の効果に加え、固定手段に起因する効果が得られる。すなわち、チューブ容器絞り出し器具２によれば、チューブ容器８，９が、第１の板部１１及び第２の板部１２の間に挟み込まれた状態で固定されるため、チューブ容器８，９を固定せずに単に挟み込んだ状態で押圧する構成と比較して、チューブ容器８，９の位置が安定し、押圧操作を行いやすくすることができる。
【００７４】
［第３実施形態］
図１０に示すように、第３実施形態のチューブ容器絞り出し器具３は、第１実施形態のチューブ容器絞り出し器具１（図２等参照）と基本的な構成は同じであり、２本のチューブ容器８，９を固定するための固定手段が、一方の板部（本実施形態では第２の板部１２）に設けられている点で相違する。このため、第１実施形態と共通する構成については、同一の符号を用いるとともに説明を省略する。
【００７５】
チューブ容器絞り出し器具３の第２の板部１２には、チューブ容器８，９を第１の板部１１及び第２の板部１２の間に挟み込まれた状態で固定するための固定手段として、ストッパ部３４１と、羽根部３４２と、が設けられている。
【００７６】
ストッパ部３４１は、第１の板部１１及び第２の板部１２によりチューブ容器８，９を挟み込んだ状態において、チューブ容器８，９のヒンジ部１３への移動を制限するためのものである。具体的には、ストッパ部３４１は、第２の板部１２の内面における基端部で厚さ方向に突出した形状のものであり、チューブ容器８，９の裾部８１，９１と当接する段差を形成している。
【００７７】
羽根部３４２は、チューブ容器８，９を挿入するための２つの貫通孔３４３，３４４が形成された長方形状の板である。羽根部３４２の幅方向に延びる辺３４５は、第２の板部１２（この例では第２の部分板部１２２）の内面で支持されており、羽根部３４２は、辺３４５を回転軸として、第２の板部１２（第２の部分板部１２２）に対する角度を変更可能に構成されている。また、各貫通孔３４３，３４４は、チューブ容器８，９の裾部８１，９１が通過できず、その他の部分（胴部８２，９２や肩部８３，９３）が通過できる大きさに設計されている。
【００７８】
このような固定手段を用いてチューブ容器８，９を固定するには、図１１に示すように、第２の板部１２の基端部側からチューブ容器８，９を羽根部３４２の貫通孔３４３，３４４に挿入した後、羽根部３４２を第２の板部１２の基端部側へ倒す。この状態で、第１の板部１１を第２の板部１２側へ倒し、チューブ容器８，９を第１の板部１１及び第２の板部１２により挟み込む。その結果、チューブ容器８，９は、裾部８１，９１がストッパ部３４１の段差に当接してヒンジ部１３への移動が制限されつつ、貫通孔３４３，３４４により横方向及び先端方向への移動が制限され、第１の板部１１及び第２の板部１２の間に挟み込まれた状態で固定される。
【００７９】
以上説明したように、第３実施形態のチューブ容器絞り出し器具３によれば、第２実施形態のチューブ容器絞り出し器具２と同様の効果が得られる。特に、チューブ容器絞り出し器具３は、チューブ容器８，９を貫通孔３４３，３４４に挿入するという簡単な手順により、粘着層を用いることなくチューブ容器８，９を固定することができる。
【００８０】
なお、図１０及び図１１では、別体の羽根部３４２を第２の板部１２の内面で支持した構成を例示したが、これに限定されるものではない。例えば、図１２及び図１３に示すように、第２の板部１２の先端に、ヒンジ部３４６を介して延長板部３４７を設け、その延長板部３４７の先端に、辺３４５で折り曲げ可能に羽根部３４２を設けてもよい。このような構成によれば、延長板部３４７を第２の板部１２の内面に重ねるようにヒンジ部３４６で二つ折りに折り曲げることで、羽根部３４２の辺３４５を図１０及び図１１に示す構成と同様に配置することができる。そして、第２の板部１２に対する羽根部３４２の角度を、辺３４５を回転軸として変更することができる。この構成によれば、延長板部３４７及び羽根部３４２を、第１の板部１１及び第２の板部１２と同じ１枚の板から形成することができるため、図１０及び図１１に示す構成と比較して、製造しやすくすることができる。
【００８１】
［第４実施形態］
図１４に示すように、第４実施形態のチューブ容器絞り出し器具４は、第１実施形態のチューブ容器絞り出し器具１（図２等参照）と基本的な構成は同じであり、２本のチューブ容器８，９を固定するための固定手段が、第１の板部１１及び第２の板部１２に設けられている点で相違する。このため、第１実施形態と共通する構成については、同一の符号を用いるとともに説明を省略する。
【００８２】
チューブ容器絞り出し器具４の第１の板部１１には、固定手段として、粘着部４４１が設けられている。
粘着部４４１は、第１の板部１１の内面にチューブ容器８，９の胴部８２，９２を接着するための粘着層であり、例えば両面テープが用いられる。この例では、第１の板部１１の内面において、各チューブ容器８，９の軸方向に沿うように両面テープをそれぞれ１本ずつ設けている。
【００８３】
一方、チューブ容器絞り出し器具４の第２の板部１２には、固定手段として、粘着部４４２と、ガイド部４４３と、が設けられている。
粘着部４４２は、第１の板部１１に設けられた粘着部４４１と同様、第２の板部１２の内面にチューブ容器８，９の胴部８２，９２を接着するための粘着層であり、例えば両面テープが用いられる。この例では、第２の板部１２の内面において、各チューブ容器８，９の軸方向に沿うように両面テープをそれぞれ１本ずつ設けている。
【００８４】
ガイド部４４３は、チューブ容器８，９を粘着部４４２に接着する際に、チューブ容器８，９が横方向へずれにくくする（位置決めしやすくする）ためのものである。具体的には、ガイド部４４３は、図１５にも示すように、第２の板部１２における複数箇所（この例では８箇所）においてコの字状に切り込みを入れ、内側に折り返して（切り起こして）形成した羽根部である。ガイド部４４３は、第２の部分板部１２２及び第４の部分板部１２４において、各チューブ容器８，９に対応する粘着部４４２を左右から挟む位置に設けられている。なお、第２の部分板部１２２に設けられたガイド部４４３は、裾部８１，９１側に広がる形に形成されている。
【００８５】
このような固定手段を用いてチューブ容器８，９を固定するには、まず、第２の板部１２を下にしてチューブ容器絞り出し器具４を載置し、両面テープの保護テープをはがして粘着部４４２の粘着層を露出させる。そして、チューブ容器８，９の裾部８１，９１をヒンジ部１３に当接させつつ、ガイド部４４３に沿ってチューブ容器８，９を第２の板部１２に載置することで、胴部８２，９２を粘着層４４２に接着する。その後、第１の板部１１の両面テープの保護テープをはがして粘着部４４１の粘着層を露出させ、第１の板部１１を第２の板部１２側に倒して粘着層４４１を胴部８２，９２に接着する。その結果、チューブ容器８，９は、第１の板部１１及び第２の板部１２に固定された状態で、第１の板部１１及び第２の板部１２の間に挟み込まれる。
【００８６】
以上説明したように、第４実施形態のチューブ容器絞り出し器具４によれば、第２実施形態及び第３実施形態のチューブ容器絞り出し器具２，３と同様の効果が得られる。特に、チューブ容器絞り出し器具４は、第２の板部１２を部分的に利用してガイド部４４３を形成しているため、別部品を取り付ける構成と比較して製造しやすくすることができる。
【００８７】
［他の実施形態］
以上、本発明の実施形態について説明したが、本発明は、上記実施形態に限定されることなく、種々の形態を採り得ることは言うまでもない。
【００８８】
（１）突出部１１７，１１８に関する変形例
上記実施形態では、第１の板部１１の各突出部１１７，１１８が、先端中央部が直線状に形成され、その両端部が基端部側へ斜めに延びる円弧状に形成されているが（図２参照）、これに限定されるものではない。例えば、図１６に示すように、先端中央部の両端部から基端部側へ斜めに延びる辺を直線状に（全体として略台形状に）形成してもよい。また、図１７に示すように、突出部１１７，１１８全体を円弧状（例えば半円状）に形成してもよい。
【００８９】
（２）低強度部に関する変形例
上記実施形態では、第１の板部１１の各突出部１１７，１１８に、横方向（ヒンジ部１３の回転軸方向）に延びる２本の未貫通溝１１９が、低強度部として形成されているが（図２参照）、これに限定されるものではなく、例えば、未貫通溝１１９の本数や向きなどを変更してもよい。具体的には、例えば図１６に示すように、縦方向（第１の板部１１の長手方向）に延びる４本の未貫通溝１１９が、各突出部１１７，１１８に低強度部として形成されていてもよい。また、未貫通溝１１９を突出部１１７，１１８の形状に合わせて円弧状などに曲がった形状としてもよい（図示せず）。一方、例えば図１７に示すように、突出部１１７，１１８に低強度部を設けないようにしてもよい。
【００９０】
また、第１の板部１１における突出部１１７，１１８だけでなく、突出部１１７，１１８以外の部分においても、低強度部の構成は特に限定されず、例えば、未貫通溝１１９の本数や向きなどを変更してもよい。
【００９１】
また、上記実施形態では、低強度部として、第１の板部１１における外面に未貫通溝１１９を設けているが、例えば図１８に示すように、第１の板部１１における内面（チューブ容器８，９に接する面）に未貫通溝１１９を設けてもよい。このような構成によれば、チューブ容器８，９の胴部８２，９２の外面が、未貫通溝１１９に食い込みやすくなるため、第１の板部１１に対するチューブ容器８，９の位置をずれにくくすることができる。
【００９２】
また、第１の板部１１に設ける低強度部は、未貫通溝１１９に限定されるものではなく、例えば、低強度部として傷（例えば多方向に形成された傷）を設けてもよい。このようにしても、未貫通溝１１９と同様、第１の板部１１に厚みを薄くした部分を設けることができるため、簡素な構成により第１の板部１１を撓みやすくすることができる。
【００９３】
また、低強度部として、第１の板部１１を貫通した部分（例えば貫通溝や貫通孔）を設けてもよい。このようにしても、第１の板部１１に厚みを薄くした部分を設ける場合と同様、簡素な構成により第１の板部１１の板部を撓みやすくすることができる。
【００９４】
また、低強度部を設ける対象は第１の板部１１に限定されるものではなく、例えば、第１の板部１１に代えて、又は、第１の板部１１とともに、第２の板部１２に低強度部を設けてもよい。
【００９５】
（３）折曲部に関する変形例
上記実施形態では、第１の板部１１及び第２の板部１２のそれぞれにおいて、折曲部が３箇所に設けられているが、折曲部の数はこれに限定されるものではなく、チューブ容器８，９からの内容物の抽出量などに応じて適宜変更してもよい。
【００９６】
また、折曲部の連結橋部１１６，１２６を、押圧により破断できるようにしてもよい。具体的には、例えば図１９に示すように、連結橋部１１６，１２６の少なくとも一部に、板厚を薄くした薄肉部１１６１，１２６１を形成してもよい。このような構成によれば、連結橋部１１６，１２６を押圧により容易に破断することができ、押圧に用いられる部分板部と、既に押圧が完了した部分板部と、の連結状態を弱めることができる。このため、押圧に用いられる部分板部を独立して操作しやすくすることができる。なお、このような効果を得るための構成は、連結橋部１１６，１２６を破断する構成に限定されるものではなく、例えば、連結橋部１１６，１２６を押圧により延伸できるようにしてもよい。
【００９７】
また、連結橋部１１６，１２６の数も特に限定されず、例えば、各折曲部において連結橋部１１６，１２６を２箇所以上に設けてもよい。また、連結橋部１１６，１２６を有しない構成としてもよい。また、折曲部は、貫通溝１１５，１２５により形成することに限定されるものではなく、例えば、薄肉のヒンジなどにより形成してもよい。また、折曲部を、第１の板部１１及び第２の板部１２の両方ではなく、いずれか一方に設けてもよい。
【００９８】
（４）固定手段に関する変形例
チューブ容器８，９を第１の板部１１及び第２の板部１２の間に挟み込まれた状態で固定するための固定手段は、上記第２実施形態、上記第３実施形態又は上記第４実施形態に限定されるものではない。また、固定手段を有しない構成としてもよい。
【００９９】
（５）板部の厚みに関する変形例
上記実施形態では、第１の板部１１及び第２の板部１２の厚みが、基端部から先端部へ向かって一定の割合で厚くなるように設計されているが、これに限定されるものではない。例えば、各部分板部における厚みは一定とし、先端部側の部分板部ほど厚みが増すように、部分板部の厚みを段階的に異ならせてもよい。一方、これとは逆に、先端部の厚みを薄くしてもよい。また、基端部から先端部まで厚みを一定としてもよい。また、第１の板部１１と第２の板部１２とで厚みを異ならせてもよい。
【０１００】
（６）材質に関する変形例
上記実施形態では、合成樹脂製の板材で形成された構成を例示したが、これに限定されるものではなく、例えば紙製（ボール紙等）や金属製などの板材で形成された構成としてもよい。また、上記実施形態では、第１の板部１１及び第２の板部１２が１枚の板材から形成された構成を例示したが、これに限定されるものではなく、例えば、別体の板材から形成された第１の板部１１及び第２の板部１２を、ヒンジ部１３で連結して構成してもよい。
【０１０１】
（７）表示に関する変形例
第１の板部１１及び第２の板部１２の少なくとも一方に、使用方法（例えば押圧順序）を示す文字や図形等を表示してもよい。具体的には、例えば図２０（Ａ）に示すように、４つの部分板部１１１，１１２，１１３，１１４の色を順に濃くしてもよく、逆に、順に薄くしてもよい。また、図２０（Ａ）に示すように、押圧順序を示す図形を表示してもよい。また、例えば図２０（Ｂ）に示すように、親指で押圧する位置に親指の図形を表示してもよく、また、押圧順序を示す数字を表示してもよい。また、図２０（Ｂ）に示すように、こうした図形や数字の色を順に薄くしてもよく、逆に、順に濃くしてもよい。また、図２０（Ｂ）に示すように、第１の板部１１の先端部と、チューブ容器８，９の肩部８３，８９と、に位置合わせの図形（この例では縦線）を表示してもよい。このようにすれば、チューブ容器８，９を正しい位置に固定しやすくすることができる。なお、文字や図形等は、例えば、印刷、シートの貼着、立体加工等により表示してもよく、また、複数色の材料を用いて表示してもよい。
【０１０２】
（８）チューブ容器８，９に関する変形例
チューブ容器８，９の内容物を絞り出しやすくするために、チューブ容器８，９の胴部８２，９２に、他の部分と比較して変形しやすい脆弱部を設けてもよい。例えば、図２１に示すように、チューブ容器８，９の胴部８２，９２における先端部側（具体的には、第２の板部１２の先端部に対応する位置）に、環状のくびれ部８２１を設けてもよい。また、例えば図２２に示すように、チューブ容器８，９の胴部８２，９２における先端部側（具体的には、第２の板部１２の先端部に対応する位置）に、環状の薄肉部８２２を設けてもよい。このようにすれば、くびれた部分や厚みの薄い部分を胴部８２，９２に設けるという簡素な構成により、胴部８２，９２における先端部側を変形しやすくすることができ、チューブ容器８，９を第２の板部１２側へ押し倒しやすくすることができる。
【０１０３】
また、上記実施形態では、押圧する対象として、染毛剤を収容する２本のチューブ容器８，９を例示したが、内容物は染毛剤以外（例えば脱色剤やカラートリートメント等）であってもよい。また、３本以上のチューブ容器を同時に押圧する構成にしてもよく、また、１本のチューブ容器を押圧する構成にしてもよい。また、チューブ容器の形状や材質は特に限定されない。また、チューブ容器以外の容器（例えばパウチ等）を押圧対象にしてもよい。
【符号の説明】
【０１０４】
１，２，３…チューブ容器絞り出し器具、８，９…チューブ容器、１１…第１の板部、１２…第２の板部、１３…ヒンジ部、８１…裾部、８２…胴部、８３…肩部、８４…口部、１１１，１１２，１１３，１１４，１２１，１２２，１２３，１２４…部分板部、１１５，１２５…貫通溝、１１６，１２６…連結橋部、１１７，１１８，１２７，１２８…突出部、１１９…未貫通溝
【図１】
2014058344.tif 000003
【図２】
2014058344.tif 000004
【図３】
2014058344.tif 000005
【図４】
2014058344.tif 000006
【図５】
2014058344.tif 000007
【図６】
2014058344.tif 000008
【図７】
2014058344.tif 000009
【図８】
2014058344.tif 000010
【図９】
2014058344.tif 000011
【図１０】
2014058344.tif 000012
【図１１】
2014058344.tif 000013
【図１２】
2014058344.tif 000014
【図１３】
2014058344.tif 000015
【図１４】
2014058344.tif 000016
【図１５】
2014058344.tif 000017
【図１６】
2014058344.tif 000018
【図１７】
2014058344.tif 000019
【図１８】
2014058344.tif 000020
【図１９】
2014058344.tif 000021
【図２１】
2014058344.tif 000022
【図２２】
2014058344.tif 000023
【図２０】
2014058344.tif 000024